【事件の表示】
　特許第３３７１２６６号「写真処理装置」の請求項１ないし９に係る特許に対する特許異議の申立てについて、次のとおり決定する。
【結　論】
　訂正を認める。
　特許第３３７１２６６号の請求項１、２に係る特許を維持する。
【理　由】
１．手続の経緯
　特許第３３７１２６６号の請求項１乃至９に係る発明についての出願は、平成５年１０月２７日に特許出願され、平成１４年１１月２２日にその発明について特許権の設定登録がなされ、その後、その特許について、異議申立人・小川鐵夫より特許異議の申立てがなされ、平成１６年５月６日付けで取消しの理由が通知され、その指定期間内である平成１６年７月１３日に訂正請求（後日取下げ）がなされた後、平成１７年１１月２９日付けで再度の取消しの理由が通知され、その指定期間内である平成１８年１月２３日に訂正請求がなされたものである。
　　
２．訂正の適否についての判断
（１）訂正の内容
ア．訂正事項ａ
　特許請求の範囲の請求項１の記載について、「現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、前記振分手段から上流側の印画紙の処理情報を判断する情報判断手段と、この処理情報の判断に基づいて前記振分手段または前記揃え手段の制御内容を変化させる制御手段とを備えることを特徴とする写真処理装置。」を、
　「現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　前記焼付露光部の焼付露光処理後に搬送される印画紙が前記振分手段の上流を設定された時間内に通過するか否かの判断を行う情報判断手段と、
　前記判断に基づいて前記振分手段及び前記揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う制御手段とを備えることを特徴とする写真処理装置。」と訂正する。
　
イ．訂正事項ｂ
　特許請求の範囲の請求項２の記載について、「前記振分手段より上流側の印画紙が、振分手段より上流の一定区間内に存在するか否かの処理情報の判断に基づいて制御内容を変化させることを特徴とする請求項１記載の写真処理装置。」を、
　「現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　前記焼付露光部の焼付露光処理後に印画紙を搬送する開始の時間間隔が所定時間以内か否かの判断を行う情報判断手段と、
　前記判断に基づいて前記振分手段及び前記揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う制御手段とを備えることを特徴とする写真処理装置。」と訂正する。
　
ウ．訂正事項ｃ
　特許請求の範囲の請求項３乃至９を削除する。
　
エ．訂正事項ｄ
　同「請求項１０」を「請求項３」と訂正し、同「請求項１１」を「請求項４」と訂正する。
　
オ．訂正事項ｅ
　明細書の段落【００１０】の「・・一線に揃える揃え手段とを備える写真処理装置において、前記振分手段から上流側の印画紙の処理情報を判断する情報判断手段と、この処理情報の判断に基づいて前記振分手段または前記揃え手段の制御内容を変化させる制御手段とを備えることを特徴としている。」を、
　「・・一線に揃える揃え手段とを備える写真処理装置において、
　前記焼付露光部の焼付露光処理後に搬送される印画紙が前記振分手段の上流を設定された時間内に通過するか否かの判断を行う情報判断手段と、
　前記判断に基づいて前記振分手段及び前記揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う制御手段とを備えることを特徴としている。」と訂正する。
　
カ．訂正事項ｆ
　明細書の段落【００１１】の「また、請求項２記載の発明は、前記振分手段より上流側の印画紙が、振分手段より上流の一定区間内に存在するか否かの処理情報の判断に基づいて、請求項３記載の発明は、前記振分手段の上流を設定された時間内に通過する印画紙の有無の処理情報の判断に基づいて、請求項４記載の発明は、前記焼付露光処理後に印画紙を搬送する開始の時間間隔の処理情報の判断に基づいて制御内容を変化させることを特徴とする。」を、
　「現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　前記焼付露光部の焼付露光処理後に印画紙を搬送する開始の時間間隔が所定時間以内か否かの判断を行う情報判断手段と、
　前記判断に基づいて前記振分手段及び前記揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う制御手段とを備えることを特徴としている。」と訂正する。
　
キ．訂正事項ｇ
　明細書の段落【００１２】及び【００１３】を削除する。
　　　
ク．訂正事項ｈ
　同段落【００１４】の「請求項１０」を「請求項３」と訂正し、同段落【００１５】の「請求項１１」を「請求項４」と訂正する。
　
ケ．訂正事項ｉ
　同段落【００１６】の「請求項１乃至９」を「請求項１及び２」と訂正する。
　
コ．訂正事項ｊ
　同段落【００１７】の「請求項１０」を「請求項３」と訂正し、同段落【００２０】の「請求項１１」を「請求項４」と訂正する。
　
サ．訂正事項ｋ
　同段落【００３８】の「・・、焼付露光処理後の印画紙Ｐを振り分けを行わないで焼付露光部１からの搬送ラインをそのまま搬送させ、また焼付露光処理後の印画紙Ｐを任意の搬送ラインに振り分けて搬送させ、また振り分けられた印画紙Ｐを揃えないで搬送させる。」を、「・・、焼付露光処理後の印画紙Ｐを振り分けを行わないで焼付露光部１からの搬送ラインをそのまま搬送させる。」と訂正する。
　
シ．訂正事項ｌ
　同段落【００３９】の「・・、焼付露光処理後の印画紙Ｐを振り分けを行わないで焼付露光部１からの搬送ラインをそのまま搬送させ、また焼付露光処理後の印画紙Ｐを任意の搬送ラインに振り分けて搬送させ、また振り分けられた印画紙Ｐを揃えないで搬送させる。」を、「・・、焼付露光処理後の印画紙Ｐを振り分けを行わないで焼付露光部１からの搬送ラインをそのまま搬送させる。」と訂正する。
　
ス．訂正事項ｍ
　同段落【００４０】の「・・、焼付露光処理後の印画紙Ｐを振り分けを行わないで焼付露光部１からの搬送ラインをそのまま搬送させ、また焼付露光処理後の印画紙Ｐを任意の搬送ラインに振り分けて搬送させ、また振り分けられた印画紙Ｐを揃えないで搬送させる。」を、「・・、焼付露光処理後の印画紙Ｐを振り分けを行わないで焼付露光部１からの搬送ラインをそのまま搬送させる。」と訂正する。
　
セ．訂正事項ｎ
　同段落【００４７】の「請求項１乃至９」を「請求項１及び２」と訂正する。
　
ソ．訂正事項ｏ
　同段落【００４８】の「請求項１０」を「請求項３」と訂正し、同段落【００５０】の「請求項１１」を「請求項４」と訂正する。
　
タ．訂正事項ｐ
　前記削除された請求項に対応する訂正前の明細書の段落【００１２】及び段落【００１３】の記載を削除し、訂正前の明細書の段落番号【００１４】〜【００５０】を、段落番号【００１２】〜【００４８】に訂正する。
　
（２）訂正の目的の適否、新規事項の有無及び拡張・変更の存否
　訂正事項ａは、特許請求の範囲の請求項１において、「前記振分手段から上流側の印画紙の処理情報を判断する情報判断手段と、この処理情報の判断に基づいて前記振分手段または前記揃え手段の制御内容を変化させる制御手段」から、「前記焼付露光部の焼付露光処理後に搬送される印画紙が前記振分手段の上流を設定された時間内に通過するか否かの判断を行う情報判断手段と、前記判断に基づいて前記振分手段及び前記揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う制御手段」へと限定事項を付加する訂正であるから、特許請求の範囲の減縮を目的とする訂正に該当する。
　また、この訂正内容は、特許明細書の段落【００３９】において「また、振分手段１６の上流を設定された時間内に通過する印画紙Ｐの有無の判断を行い、印画紙Ｐが設定された時間内に通過する場合には前記した通常の振り分け、揃え搬送を行うが、通過しない場合には制御手段５３により制御内容を変化させて、焼付露光処理後の印画紙Ｐを振り分けを行わないで焼付露光部１からの搬送ラインをそのまま搬送させ、・・」と開示している内容に基づくものである。
　
　訂正事項ｂは、特許請求の範囲の請求項２の記載において、「前記振分手段より上流側の印画紙が、振分手段より上流の一定区間内に存在するか否かの処理情報の判断に基づいて制御内容を変化させることを特徴とする請求項１記載の写真処理装置。」から、「現像処理済みの写真フィルムから各プリントサイズに応じて切断した印画紙熊焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、前記焼付露光部の焼付露光処理後に印画紙を搬送する開始の時間間隔が所定時間以内か否かの判断を行う情報判断手段と、前記判断に基づいて前記振分手段及び前記揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う制御手段とを備えることを特徴とする写真処理装置。」へと限定事項を付加する訂正であるから、特許請求の範囲の減縮を目的とする訂正に該当する。
　また、この訂正内容は、特許明細書の段落【００４０】において「また、焼付露光処理後に印画紙Ｐを搬送する開始の時間間隔の判断を行い、開始の時間間隔が所定時間以内の場合には、前記した通常の振り分け、揃え搬送を行うが、所定時間以内に開始されない場合には制御手段５３により制御内容を変化させて、焼付露光処理後の印画紙Ｐを振り分けを行わないで焼付露光部１からの搬送ラインをそのまま搬送させ、・・」と開示している内容に基づくものである。
　
　訂正事項ｃは、特許請求の範囲の減縮を目的とした請求項の削除による訂正である。
　訂正事項ｄは、訂正事項ｃにおける請求項の削除に伴い、請求項に付する番号を記載の順序により連続番号とし、整合を図るためのもので、明りょうでない記載の釈明を目的とする訂正である。
　訂正事項ｅ〜ｐは、訂正後の特許請求の範囲の記載と発明の詳細な説明の記載との整合を図るための訂正であり、明りょうでない記載の釈明を目的とする訂正である。
　
　また、訂正事項ａ〜ｐはいずれも、新規事項の追加に該当せず、実質的に特許請求の範囲を拡張又は変更するものではない。
　
（３）むすび
　したがって、前記訂正は、特許法第１２０条の４第２項及び同条第３項で準用する第１２６条第２項及び第３項の規定に適合するので、当該訂正を認める。
　
３．特許異議の申立てについての判断
（１）本件発明
　上記２．で示したように前記訂正が認められるから、本件の請求項１及び２に係る発明（以下、「本件発明１及び２」という。）は、前記訂正に係る訂正明細書の特許請求の範囲の請求項１及び２に記載された事項に特定される次のとおりのものである。
　「【請求項１】
　現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　前記焼付露光部の焼付露光処理後に搬送される印画紙が前記振分手段の上流を設定された時間内に通過するか否かの判断を行う情報判断手段と、
　前記判断に基づいて前記振分手段及び前記揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う制御手段とを備えることを特徴とする写真処理装置。
　【請求項２】
　現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　前記焼付露光部の焼付露光処理後に印画紙を搬送する開始の時間間隔が所定時間以内か否かの判断を行う情報判断手段と、
　前記判断に基づいて前記振分手段及び前記揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う制御手段とを備えることを特徴とする写真処理装置。」
　
（２）異議申立の理由／平成１６年５月６日付けの取消理由通知書の理由、及び異議申立人提出の証拠／取消理由で引用された刊行物
理由；本件請求項１〜９に係る発明の特許は、刊行物１、２に記載された発明に基づき、当業者が容易に発明をすることができたもので、特許法第２９条第２項の規定に違反してされたものである。
刊行物；
　刊行物１．特開平４−１０６５３６号公報（異議申立人が提出した甲第１号証）　
　刊行物２．特開平４−２０４１７号公報（同甲第２号証）　
　
（３）刊行物に記載された発明、及び対比・判断
［本件発明１について］
　本件発明１と刊行物１及び２に記載された発明とを比較検討する。
　刊行物１に記載された発明は、シート状印画紙を複数列に分配して、搬送処理するシート状印画紙処理装置に関するもので、帯状印画紙１をカッタ２で切断してシート状印画紙３として露光部４に搬送し、この露光部４でネガフィルムＮの画像を露光した後、この露光済みのシート状印画紙３を露光部４に続いて配置される振分部５に搬入し、この振分部５に搬入されたシート状印画紙３は振分部５において複数列に振り分けられ、続いて配置される現像処理部６に備えられる複数の搬送路７に搬入されるものである。そして、刊行物１にはシート状印画紙の焼付露光発注単位の境界部分において搬送パターンを変更し、この搬送パターンを検出して、この検出された搬送パターンから処理されたシート状印画紙の発注単位を判断する構成が開示されている。
　刊行物１に記載の発明は、露光済みのシート状印画紙３を振分部５において順次複数列に振り分けて搬送し、シート状印画紙の焼付露光発注単位の境界部分において搬送パターンを変更し、この搬送パターンを検出して、この検出された搬送パターンから処理されたシート状印画紙の発注単位を判断するものであるが、本件発明１のように「焼付露光部の焼付露光処理後に搬送される印画紙が振分手段の上流を設定された時間内に通過するか否かの判断を行う情報判断手段と、前記判断に基づいて振分手段及び揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う制御手段とを備えるもの」ではない。
　また、刊行物２に記載された発明は、１台のコンベヤにより搬送されてきたワークを複数の加工ラインへ均等に分配するためのコンベヤの制御方法に関するもので、１本のコンベヤにより搬送されてきたワークを複数の加工ラインへ分配するに当たって、各加工ライン毎に分配位置を設けて、これら分配位置の近傍にフルワークリミットスイッチ及びバッファリミットスイッチを設置し、かつこれらリミットスイッチからの信号により各分配位置に一定量のワークが蓄えられるようにコンベヤを制御することにより、各加工ラインへ均等にワークが搬入できるようにした構成を有している。
　つまり、刊行物２に記載の発明は、フルワークリミットスイッチ及びバッファリミットスイッチからのワークが位置するか否かのＯＮ、ＯＦＦ信号により１台のコンベヤにより搬送されてきたワークを複数の加工ラインへの均等に分配するものである。
　しかしながら、刊行物２の発明は本件発明１のように写真処理装置に関するものではなく、また、本件発明１のように「焼付露光部の焼付露光処理後に搬送される印画紙が振分手段の上流を設定された時間内に通過するか否かの判断を行う情報判断手段と、前記判断に基づいて振分手段及び揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う制御手段とを備える」構成を示唆する記載は何等ない。
　そして、本件発明１は前記の構成を具備することにより、「情報報判断手段の判断に基づいて振分手段または揃え手段の制御内容を変化させるから、印画紙を振り分けて搬送して効率よく現像処理すると共に、焼付露光から現像処理までに時間がかかって焼付露光で形成された印画紙の潜像が劣化することを防止し、かつプリントの仕上がり性能を一定にすることができる。」という効果を奏するものであり、この効果についても刊行物１及び２の記載内容から予測し得るものではない。
　したがって、本件発明１は、刊行物１及び２に記載された発明に基いて当業者が容易になし得た発明であるとすることはできない。
　
［本件発明２について］
　本件発明２と刊行物１及び２に記載された発明とを比較検討する。
　本件発明２は、写真処理装置において、「焼付露光部の焼付露光処理後に印画紙を搬送する開始の時間間隔が所定時間以内か否かの判断を行う情報判断手段と、前記判断に基づいて振分手段及び揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う制御手段とを備える」構成を具備するものであるが、刊行物１及び２には、このような構成についての記載は何等なく、そのことを示唆する記載もない。
　したがって、本件発明２は、刊行物１及び２に記載された発明に基いて当業者が容易になし得た発明であるとすることはできない。
　
　なお、本件特許は特許法第３６条第４項及び第５項の規定に違反してなされたものであるとする平成１６年５月６日付け及び平成１７年１１月２９日付けの取消理由については、前記訂正により解消したものと認められる。
　
（４）むすび
　以上のとおりであるから、特許異議申立ての理由、その証拠、平成１６年５月６日付け及び平成１７年１１月２９日付けの取消理由、その証拠によっては、本件発明１及び２についての特許を取り消すことができない。
　また、他に本件発明１及び２についての特許を取り消すべき理由を発見しない。
　よって、結論のとおり決定する。
【異議決定日】
平成１８年２月１０日（２００６．２．１０）
【訂正の要旨】
審決（決定）の【理由】欄参照。
（５４）【発明の名称】
写真処理装置
（５７）【特許請求の範囲】
　【請求項１】
　現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　
前記焼付露光部の焼付露光処理後に搬送される印画紙が前記振分手段の上流を設定された時間内に通過するか否かの判断を行う
　
前記判断に基づいて前記振分手段及び前記揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う
　【請求項
２
　現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　
前記焼付露光部の焼付露光処理後に印画紙を搬送する開始の時間間隔が所定時間以内か否かの判断を行う
　
前記判断に基づいて前記振分手段及び前記揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う
　【請求項
３
　現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　前記揃え手段に、前記振り分けられた印画紙を搬送する搬送ローラと、この搬送ローラに圧着される圧着ローラと、この搬送ローラ及び圧着ローラの後段に配置され同一の駆動軸上にワンウエイクラッチを介して振り分け搬送ラインに対応して分割された送りローラと、この送りローラに対応して分割された圧着ローラとを備え、前記送りローラの駆動軸が停止状態で、この送りローラの前段に配置された前記搬送ローラの駆動により印画紙を前記送りローラと圧着ローラとの間に押し込み、前記駆動軸の駆動によりワンウエイクラッチを介して前記送りローラを回転して印画紙を揃えて送り出すように構成したことを特徴とする写真処理装置。
　【請求項
４
　焼付露光処理後の印画紙を現像処理する現像処理部に、対向して印画紙を挟んで搬送する搬送ローラと圧着ローラを設け、前記搬送ローラには軸方向に多数の丸状凸部の列を平行かつ一直線状に所定間隔で形成し、さらに螺旋状に前記丸状凸部の列の間に丸状連結凸部を形成したことを特徴とする写真処理装置。
【発明の詳細な説明】
　【０００１】
　【産業上の利用分野】
　この発明は、写真の焼付露光処理を終えた印画紙を複数列又は一列に振り分けて現像処理部に受け渡し、効率よく処理を行なう写真処理装置に関する。
　【０００２】
　【従来の技術】
　ネガの写真フィルムから印画紙に焼付露光を行ない、印画紙を現像処理してプリントを作成する写真処理装置には、印画紙を長尺のまま、複数画像コマの焼付を行ない、現像処理を施した後、各画像コマ毎に切断して排出するものと、印画紙をまず各プリントサイズに切断した後、焼付露光を行ない、現像処理を施すものとがある。前者は一種類のサイズについて多量に連続処理する場合には有利であるが、作業を中断する場合に、焼付露光部から現像処理部を通過するその長い区間にまたがった印画紙が無駄になるなど不利なことが多く、また、多種サイズを処理するためには不向きであった。それに対し、後者は印画紙を収納部から引出してすぐに各プリントサイズに切断してしまい、個々独立して、焼付露光から現像処理を順次行なうので、作業中断時に仕掛りで無駄となることが無く、かつ多種サイズに適宜対応できる利点がある。
　【０００３】
　【発明が解決しようとする課題】
　このように切断された印画紙を焼付露光するものは、作業中断時に仕掛りで無駄となることが無く、かつ多種サイズに適宜対応できる利点があるが、焼付露光は、数秒から数十秒で終了するに対し、現像処理は数分を要するから、連続処理しようとするとき、焼付露光を行なう焼付露光部の送り速度は速く、現像処理を行なう現像処理部の送り速度は遅い。
　【０００４】
　従って、この一連の処理の処理能力を左右するのは現像処理部の処理速度であるから、サービス性を向上するため現像部の迅速化が行なわれてきた。しかし、化学変化を利用した現像処理には迅速化に限界があるからその他の手段による迅速処理が求められている。
　【０００５】
　このため、この出願人は先に、現像処理済みの写真フィルムから、各プリントサイズに応じて切断した印画紙に焼付露光処理を行なう焼付露光部と、焼付露光処理後の印画紙を現像処理する現像処理部との間に、この現像処理部の印画紙挿入方向に直交する方向に複数列に印画紙を振り分け可能な振分手段と、この振り分けた複数の印画紙の先端を直交する方向に一線に揃える揃え手段とを設け、複数の印画紙の各先端を揃えて現像処理部に挿入し、迅速に焼付から、現像処理に関する一連の処理を施すシステムを提供した。
　【０００６】
　ところで、印画紙に焼付露光処理を行なう時間間隔が長い場合、先に焼付露光処理された印画紙を振り分けて待機させて、次に焼付露光処理された印画紙が搬送されるのを待っていると、焼付露光から現像処理までに時間がかかって焼付露光で形成された潜像が劣化して、プリントの仕上がり性能に影響を与える。
　【０００７】
　また、現像処理部の印画紙挿入方向に直交する方向に複数列に印画紙を振り分け、この振り分けた印画紙を挟んで搬送する揃えローラと圧着ローラの駆動を一旦停止して複数の印画紙の先端を直交する方向に一線に揃えている。ところで、複数の搬送ラインを確保する必要があるために、その分揃えローラが軸方向に長くなって撓み、圧着ローラによる印画紙への圧着力が不均一となって、印画紙が横方向へずれて円滑に搬送できないことがある。
　【０００８】
　また、焼付露光処理後の印画紙を現像処理する現像処理部では、各プリントサイズに切断された印画紙を搬送するために、対向して印画紙を挟んで搬送する搬送ローラと圧着ローラを設けている。この搬送ローラには軸方向に多数の丸状凸部の列を平行かつ一直線状に所定間隔で形成し、印画紙との接触面積を少なくして現像ムラを防止すると共に、搬送力が得られるようにしているが、搬送ローラに対向する圧着ローラが振動し、液面が揺れたり、駆動騒音が大きくなる等の不具合がある。
　【０００９】
　この発明は、かかる課題に鑑みてなされたもので、各プリントサイズに応じて切断した印画紙を効率よく搬送処理を行なうことができる写真処理装置を提供することを目的としている。
　【００１０】
　【課題を解決するための手段】
　前記課題を解決するために、請求項１記載の発明は、現像処理済みの写真フィルムから各プリントサイズに応じて切断した印画紙に焼付露光処理を行なう焼付露光部と、焼付露光処理後の印画紙を現像処理する現像処理部と、前記焼付露光部と前記現像処理部の間に、前記現像処理部の印画紙挿入方向に直交する方向に複数列に前記印画紙を振り分け可能な振分手段と、この振り分けた複数の印画紙の先端を前記直交する方向に一線に揃える揃え手段とを備える写真処理装置において、
　
前記焼付露光部の焼付露光処理後に搬送される印画紙が前記振分手段の上流を設定された時間内に通過するか否かの判断を行う
　
前記判断に基づいて前記振分手段及び前記揃え手段の制御内容を変化させ、印画紙が設定された時間内に通過する場合には、印画紙の振り分け及び揃え搬送を行い、印画紙が設定された時間内に通過しない場合には、印画紙の振り分けを行わないで焼付露光部からの搬送ラインをそのまま搬送させる制御を行う
　【００１１】
　請求項
２
　
前記焼付露光部の焼付露光処理後に印画紙を搬送する開始の時間間隔が所定時間以内か否かの判断を行う情報判断手段と、
　
前記判断に基づいて前記振分手段及び前記揃え手段の制御内容を変化させ、印画紙を搬送する開始の時間間隔が所定時間以内の場合には、印画紙の振り分け及び揃え搬送を行い、印画紙を搬送する開始の時間間隔が所定時間以内でない場合には、印画紙の振り分けを行わないで焼付露光部からの搬送ラインをそのまま搬送させる制御を行う制御手段とを備える
　
【００１２】
　請求項
３
　前記揃え手段に、前記振り分けられた印画紙を搬送する搬送ローラと、この搬送ローラに圧着される圧着ローラと、この搬送ローラ及び圧着ローラの後段に配置され同一の駆動軸上にワンウエイクラッチを介して振り分け搬送ラインに対応して分割された送りローラと、この送りローラに対応して分割された圧着ローラとを備え、前記送りローラの駆動軸が停止状態で、この送りローラの前段に配置された前記搬送ローラの駆動により印画紙を前記送りローラと圧着ローラとの間に押し込み、前記駆動軸の駆動によりワンウエイクラッチを介して前記送りローラを回転して印画紙を揃えて送り出すように構成したことを特徴としている。
　
【００１３】
　請求項
４
　
【００１４】
　【作用】
　請求項１
及び２
　
【００１５】
　請求項
３
　
【００１６】
　この送りローラは同一の駆動軸上にワンウエイクラッチを介して振り分け搬送ラインに対応して分割され、この送りローラに対応して圧着ローラを分割して圧着させているから、例え送りローラの駆動軸が長くなっても、送りローラには振り分け搬送ラインに対応して分割された圧着ローラが圧着されているため、圧着ローラによる印画紙への圧着力が均一となり印画紙が横方向へずれることなく円滑な搬送が行われる。
　
【００１７】
　また、同一の駆動軸上に送りローラがワンウエイクラッチを介して振り分け搬送ラインに対応して分割されているため、振り分け後のモータ等の駆動機構を振り分け数分設ける必要がなく、またクラッチ等の切替機構を設ける必要がなく、構造が簡単である。
　
【００１８】
　請求項
４
　
【００１９】
　【実施例】
　以下、この発明の写真処理装置の実施例を図面に基づいて具体的に説明する。図１は写真処理装置の全体構成を示す断面図、図２は振分部の拡大構成図、図３は振分部の振分手段を示す斜視図、図４は振分部の揃え手段を示す斜視図、図５は振分部の揃え手段の揃えローラと圧着ローラの正面図、図６は現像処理部の搬送路を示す斜視図、図７は現像処理部の搬送ローラの側面図、図８は現像処理部の搬送ローラの断面図、図９は現像処理部の搬送ローラの展開図である。
　
【００２０】
　写真処理装置は、焼付露光部１、振分部２、現像処理部３及び集積部４とが連結して、一連の処理を連続して行なうようにしてある。
　
【００２１】
　まず、焼付露光部１では、ネガキャリアに装着したネガフィルム５に対し、光源６により照明した光で、ネガフィルムの画像は投影レンズ７によって、露光台８に搬送され、静止した印画紙Ｐに結像し焼付露光を行なう。
　
【００２２】
　印画紙Ｐは該焼付露光に先立って元巻きマガジン９に長尺ロールとして収納されていたものを、送出ローラ対１０によって送り出し、図示しない計尺手段により、所望のプリントサイズに従ってカッター１１で切断する。この切断された印画紙Ｐは、露光台８における搬送手段１２に受け渡しをして搬送し、中央の露光位置に至って静止する。
　
【００２３】
　そして、所望の焼付露光を終了して、再び搬送手段１２による搬送により、次の搬送ローラ対１３に受け渡され、右上方
に
　
【００２４】
　振分部には図２乃至図４に示すように、搬入側搬送手段１４と、搬出側搬送手段１５が備えられ、この搬入側搬送手段１４に振分手段１６が配置され、搬入側搬送手段１４と搬出側搬送手段１５との間に揃え手段１７が配置されている。搬入側搬送手段１４は、搬送ローラ１８と圧着ローラ１９対、ガイドローラ２０、搬送ベルト２１及び搬入モータ２２等から構成されている。また、搬出側搬送手段１５は、搬送ローラ２３と圧着ローラ２４対、ガイドローラ２５、搬送ベルト２６及び搬出モータ２７等から構成されている。
　
【００２５】
　搬入側搬送手段１４には焼付露光部１から印画紙が搬送ローラ１８と圧着ローラ１９対に受け渡され、搬送ローラ１８と圧着ローラ１９対の搬送速度は、焼付露光部１の処理速度に合せ、または搬送ローラ対１３の搬送速度に合せて高速でよい。
　
【００２６】
　振分手段１６は、図２及び図３に示すように現像処理部３の印画紙挿入方向に直交する方向に複数列に印画紙Ｐを振り分け可能に構成されている。即ち、ラック２８に支持シャフト２９が上下に支持され、この支持シャフト２９に振分ボックス３０が移動可能に支持されている。振分ボックス３０には印画紙Ｐが通過する
と
　
【００２７】
　振分ボックス３０はベルト接続部３５を介して振分ベルト３６に接続され、この振分ベルト３６は振分モータ３７で駆動される。振分ボックス３０は振分ホーム復帰用センサ３８によって復帰位置に停止され、この復帰位置で印画紙Ｐを保持する。この位置から振分ホームポジションセンサ３９の位置まで振分モータ３７の駆動で振分ボックス３０を移動させて、印画紙Ｐを搬送路の片側に片寄せる振り分けを行う。
　
【００２８】
　この実施例では２列に振り分ける例を示すが、２列に限るものではなく、片寄せるストロークを適宜設定することによって複数列は容易に実施できる。この実施例では２列とし、復帰位置で振分ボックス３０に入った印画紙Ｐを奥側に片寄せてのち、再び搬送を再開すると、印画紙Ｐは搬入側搬送手段１４は搬送ローラ１８と圧着ローラ１９対に受け渡され、この搬送ローラ１８と圧着ローラ１９対の駆動によって下方へと挟持搬送され、揃え手段１７に送られる。
　
【００２９】
　揃え手段１７は、図２及び図５に示すように振分手段１６で振り分けた複数の印画紙Ｐの先端を直交する方向に一線に揃えるように構成されている。即ち、揃え手段１７は、搬入側搬送手段１４を構成する振り分けられた印画紙Ｐを搬送する搬送ローラ１８と、この搬送ローラ１８に圧着される圧着ローラ１９と、この搬送ローラ１８及び圧着ローラ１９の後段に配置された送りローラ４０と圧着ローラ４１の対、送りベルト４２、送りモータ４３等から構成されている。
　
【００３０】
　送りローラ４０は、同一の駆動軸４４上にワンウエイクラッチ４５を介して振り分け搬送ラインに対応して分割され、圧着ローラ１９はそれぞれの送りローラ４０に対応して分割され、それぞれ独立してバネ４６によって送りローラ４０に圧着されている。送りローラ４０の駆動軸４４が停止状態で、この送りローラ４０の前段に配置された搬送ローラ１８の駆動により印画紙Ｐを送りローラ４０と圧着ローラ４１との間に押し込み、駆動軸４４の駆動によりワンウエイクラッチ４５を介して送りローラ４０を回転して振り分けられた印画紙Ｐを揃えて送り出すように構成されている。
　
【００３１】
　即ち、送りモータ４３が停止して駆動軸４４が回転しない停止状態で、送りローラ４０の前段に配置された搬送ローラ１８の駆動により印画紙Ｐを搬送して、印画紙Ｐを駆動軸４４が停止状態の送りローラ４０と圧着ローラ４１との間に押し込む。このとき、送りローラ４０がワンウエイクラッチ４５を介して印画紙Ｐの搬送を許容する方向に空転して印画紙Ｐが搬送され、印画紙Ｐの後端が搬送ローラ１８から外れることで印画紙Ｐを揃える。そして、印画紙Ｐの搬送指令により、送りモータ４３が駆動して送りベルト４２を介して駆動軸４４の駆動し、この駆動軸４４の駆動によりワンウエイクラッチ４５を介して送りローラ４０を回転して振り分けられた印画紙Ｐを揃えて送り出す。
　
【００３２】
　このように、送りローラ４０は同一の駆動軸４４上にワンウエイクラッチ４５を介して振り分け搬送ラインに対応して分割され、この送りローラ４０に対応して圧着ローラ４１を分割して圧着させているから、例え送りローラ４０の駆動軸４４が長くなっても、送りローラ４０には振り分け搬送ラインに対応して分割された圧着ローラ４１が圧着されているため、圧着ローラ４１による印画紙Ｐへの圧着力が均一となり印画紙Ｐが横方向へずれることなく円滑な搬送が行われる。
　
【００３３】
　また、同一の駆動軸４４上に送りローラ４０がワンウエイクラッチ４５を介して振り分け搬送ラインに対応して分割されているため、振り分け後のモータ等の駆動機構を振り分け数分設ける必要がなく、またクラッチ等の切替機構を設ける必要がなく、構造が簡単である。
　
【００３４】
　次に、この実施例では２列の設定であるから、２列の振り分けが完了すると、搬出側搬送手段１５へ送られる。この搬出側搬送手段１５は、２列同時に搬送ローラ２３と圧着ローラ対２４を経て上方へ搬送し、現像処理部３へと受け渡す。
　
【００３５】
　振分手段１６の上流側には印画紙Ｐを検知する検知センサ５０が配置され、また焼付露光処理後に印画紙Ｐを搬送する開始を検知する検知センサ５１が配置され、このそれぞれの検知情報を情報判断手段５２に送る。情報判断手段５２では上流側の印画紙Ｐの処理情報の判断を行ない、処理情報の判断に基づいて制御手段５３により振分手段１６または揃え手段１７の制御内容を変化させるように構成されている。
　
【００３６】
　情報判断手段５２では、振分手段１６より上流側の印画紙Ｐが、振分手段１６より上流の一定区間内に存在するか否かの判断を行い、印画紙Ｐが存在する場合には前記した通常の振り分け、揃え搬送を行うが、印画紙Ｐが存在しない場合には制御手段５３により制御内容を変化させて、焼付露光処理後の印画紙Ｐを振り分けを行わないで焼付露光部１からの搬送ラインをそのまま搬送
させる
　
【００３７】
　また、振分手段１６の上流を設定された時間内に通過する印画紙Ｐの有無の判断を行い、印画紙Ｐが設定された時間内に通過する場合には前記した通常の振り分け、揃え搬送を行うが、通過しない場合には制御手段５３により制御内容を変化させて、焼付露光処理後の印画紙Ｐを振り分けを行わないで焼付露光部１からの搬送ラインをそのまま搬送
させる
　
【００３８】
　また、焼付露光処理後に印画紙Ｐを搬送する開始の時間間隔の判断を行い、開始の時間間隔が所定時間以内の場合には、前記した通常の振り分け、揃え搬送を行うが、所定時間以内に開始されない場合には制御手段５３により制御内容を変化させて、焼付露光処理後の印画紙Ｐを振り分けを行わないで焼付露光部１からの搬送ラインをそのまま搬送
させる
　
【００３９】
　処理情報の判断は、焼付露光された印画紙Ｐの潜像変化時間との比較で行われ、または現像処理部３の印画紙Ｐの処理能力との比較で行われ、外部の比較値設定手段５４によって印画紙Ｐの種類や現像処理部３の印画紙Ｐの処理速度等によって判断基準を変化させる。
　
【００４０】
　従って、印画紙Ｐに焼付露光処理を行なう時間間隔が長い場合、先に焼付露光処理された印画紙Ｐを振り分けて待機させて、次に焼付露光処理された印画紙Ｐが搬送されるのを待っていると、焼付露光から現像処理までに時間がかかって焼付露光で形成された潜像が劣化して、プリントの仕上がり性能に影響を与えるが、前記したように処理情報の判断に基づいて振分手段１６または揃え手段１７の制御内容を変化させるから、焼付露光から現像処理までに時間がかかって焼付露光で形成された印画紙Ｐの潜像が劣化することを防止すると共に、プリントの仕上がり性能が一定である。
　
【００４１】
　現像処理部３には図２は乃至図９に示すように現像槽６０、定着槽６１、水洗槽６２及び乾燥部６３が順に配置され、現像槽６０、定着槽６１、水洗槽６２では搬送ローラ６４と圧着ローラ６５の対により構成される搬送手段６６で印画紙Ｐが搬送される。搬送手段６６を構成する搬送ローラ６４と圧着ローラ６５は対向して配置され、搬送ローラ６４と圧着ローラ６５の間に印画紙Ｐを挟んで搬送する。現像処理部３の処理槽はこの実施例のものに限定されず、公知のものが適用される。
　
【００４２】
　搬送ローラ６４は図２乃至図９に示すように、ゴムローラであり、この搬送ローラ６４には軸方向に多数の丸状凸部６４ａの列を平行かつ一直線状に所定間隔Ｄ１で形成し、さらに螺旋状に前記丸状凸部６４ａの列の間に丸状連結凸部６４ｂを形成している。この丸状連結凸部６４ｂは丸状凸部６４ａよりＤ２だけ低くなっている。
　
【００４３】
　このように、搬送ローラ６４には軸方向に多数の丸状凸部６４ａの列を平行かつ一直線状に所定間隔Ｄ１で形成し、印画紙Ｐとの接触面積を少なくし、現像ムラの発生を防止しており、かつ所定の搬送力が得られる。しかも、この搬送ローラ６４に螺旋状に丸状凸部６４ａの列の間に丸状連結凸部６４ｂを形成しており、回転で圧着ローラ６５が丸状凸部６４ａから次の列の丸状凸部６４ａに当接する時に丸状連結凸部６４ｂに当接してから当接するため、圧着ローラ６５が振動することを抑えることができ、円滑な印画紙Ｐの搬送が行われ、液面が揺れたり、駆動騒音が大きくなることが防止できる。
　
【００４４】
　集積部４には、現像処理部３で現像処理を終えた印画紙Ｐが排出ローラ対７０によってトレー７１に排出される。トレー７１に内蔵された図示しない機構よりなる押出し手段に取り付けた押し棒７２は、印画紙Ｐがトレー７１に排出されたのを待って、図１の紙面に垂直方向に移動し、この実施例では手前に移動し、印画紙Ｐを手前の集積ボックス７３に落下集積する。この例では２列であるため、手前側の印画紙Ｐが先に集積ボックス７３に落下し、次いで奥側の印画紙Ｐが落下して重ねられる。このような動作を次々に繰返すことにより、１オーダー分の印画紙が集積ボックス７３に積み重ねられ、その順も揃えられる。
　
【００４５】
　【発明の効果】
　前記したように、請求項１
及び２
情報判断手段
　
【００４６】
　請求項
３
　
【００４７】
　また、同一の駆動軸上に送りローラがワンウエイクラッチを介して振り分け搬送ラインに対応して分割されているため、振り分け後のモータ等の駆動機構を振り分け数分設ける必要がなく、またクラッチ等の切替機構を設ける必要がなく、構造が簡単である。
　
【００４８】
　請求項
４
【図面の簡単な説明】
　【図１】
　写真処理装置の全体構成を示す断面図である。
　【図２】
　振分部の拡大構成図である。
　【図３】
　振分部の振分手段を示す斜視図である。
　【図４】
　振分部の揃え手段を示す斜視図である。
　【図５】
　振分部の揃え手段の送りローラと圧着ローラの正面図である。
　【図６】
　現像処理部の搬送路を示す斜視図である。
　【図７】
　現像処理部の搬送ローラの側面図である。
　【図８】
　現像処理部の搬送ローラの断面図である。
　【図９】
　現像処理部の搬送ローラの展開図である。
　【符号の説明】
　１　焼付露光部
　３　現像処理部
　１６　振分手段
　１７　揃え手段
　５２　情報判断手段
　５３　制御手段
　Ｐ　印画紙